(57)【要約】【課題】  良好な美観を確保し得る一方、軒下空間の有効活用に寄与し得る軒樋吊具を提供する。【解決手段】  前方に突出した後耳係止部１を有する固定部２と、この固定部２の上端部より前方に延設した軒樋支持腕部３と、この軒樋支持腕部の先端に設けられた前耳係止部４と、軒樋支持腕部３の前記前耳係止部４より後方に設けられた後耳脱落防止部５とを備えた軒樋吊具において、固定部２の背面に縦溝部７を設ける一方、この縦溝部７内をスライド可能であり、下端に引っ掛け爪部９を具備した垂下腕部１０を有するので、容易に軒下に物干し等を吊り下げることができ、軒下空間の有効活用に寄与し得る。また、垂下腕部１０が、スライド上限の位置で係止可能であり、この際、垂下腕部１０が、殆ど縦溝部７に収納されてしまうので、軒樋吊具に求められる良好な美観をも確保し得ることとなる。【選択図】図１
2006037428.tif 000002
【特許請求の範囲】
【請求項１】
前方に突出した後耳係止部を有する固定部と、前記固定部の上端部より前方に延設した軒樋支持腕部と、前記軒樋支持腕部の先端に設けられた前耳係止部と、前記軒樋支持腕部の前記前耳係止部より後方に設けられた後耳脱落防止部とを備えた軒樋吊具において、前記固定部の背面に上端幅広部を備え且つ下端が開放した縦溝部を設ける一方、前記縦溝部内を走行可能であり、前記上端幅広部と略同一幅の幅広頭部を有し且つ下端に引っ掛け爪部を具備し、前記縦溝部と略同一幅で略Ｔ字形状の垂下腕部を有することを特徴とする軒樋吊具。
【請求項２】
前記幅広頭部が、前記上端幅広部の上側端縁に当接する際、前記引っ掛け爪部の上端部が、軒樋底部に当接する一方、前記上端幅広部の両側面に、前記幅広頭部の下端部に当接し、且つ前記幅広頭部の下端部を保持し得る突起部を形成したことを特徴とする請求項１記載の軒樋吊具。
【請求項３】
前記垂下腕部側面より突出し、前記引っ掛け爪部の上端部裏側面に略到達するまで延設した弾性体片を有することを特徴とする請求項１または請求項２記載の軒樋吊具。
【発明の詳細な説明】
【技術分野】
【０００１】
本発明は、軒樋を軒先の所定部位に固定する軒樋吊具に関するものである。
【背景技術】
【０００２】
従来より、軒樋を軒先の所定部位に固定する軒樋吊具としては、種々のものが知られているが、良好な美観を確保することが当該技術分野の重要な開発課題となっており、例えば、実開平５−４０４５０号公報には、軒先前面と軒樋との間隔を体裁良く塞ぐカバー材が簡単に取着される軒樋支持装置が開示されている。
【０００３】
一方、軒先に固定された軒樋の底部近傍、或いは、軒樋吊具直下の空間については、その有効活用についての潜在ニーズはあるものの、部屋の中から直接、物の出し入れ等の操作をするには、やや位置が高すぎて不便である等の制約から今なお、充分に活用されているとは言い難い。
【特許文献１】実開平５−４０４５０号公報
【発明の開示】
【発明が解決しようとする課題】
【０００４】
本発明は、上記背景技術に鑑みて発明されたものであり、その課題は、良好な美観を確保し得る一方、軒下空間の有効活用に寄与し得る軒樋吊具を提供することである。
【課題を解決するための手段】
【０００５】
上記課題を解決するために、請求項１に係る発明の軒樋吊具にあっては、前方に突出した後耳係止部を有する固定部と、前記固定部の上端部より前方に延設した軒樋支持腕部と、前記軒樋支持腕部の先端に設けられた前耳係止部と、前記軒樋支持腕部の前記前耳係止部より後方に設けられた後耳脱落防止部とを備えた軒樋吊具において、前記固定部の背面に上端幅広部を備え且つ下端が開放した縦溝部を設ける一方、前記縦溝部内を走行可能であり、前記上端幅広部と略同一幅の幅広頭部を有し且つ下端に引っ掛け爪部を具備し、前記縦溝部と略同一幅で略Ｔ字形状の垂下腕部を有することを特徴とするものである。
【０００６】
請求項２に係る発明の軒樋吊具にあっては、請求項１記載の軒樋吊具において、前記幅広頭部が、前記上端幅広部の上側端縁に当接する際、前記引っ掛け爪部の上端部が、軒樋底部に当接する一方、前記上端幅広部の両側面に、前記幅広頭部の下端部に当接し、且つ前記幅広頭部の下端部を保持し得る突起部を形成したことを特徴とするものである。
【０００７】
請求項３に係る発明の軒樋吊具にあっては、請求項１または請求項２記載の軒樋吊具において、前記垂下腕部側面より突出し、前記引っ掛け爪部の上端部裏側面に略到達するまで延設した弾性体片を有することを特徴とするものである。
【発明の効果】
【０００８】
本発明の軒樋吊具では、前方に突出した後耳係止部を有する固定部と、前記固定部の上端部より前方に延設した軒樋支持腕部と、前記軒樋支持腕部の先端に設けられた前耳係止部と、前記軒樋支持腕部の前記前耳係止部より後方に設けられた後耳脱落防止部とを備えた軒樋吊具において、前記固定部の背面に上端幅広部を備え且つ下端が開放した縦溝部を設ける一方、前記縦溝部内を走行可能であり、前記上端幅広部と略同一幅の幅広頭部を有し且つ下端に引っ掛け爪部を具備し、前記縦溝部と略同一幅で略Ｔ字形状の垂下腕部を有しているので、容易に軒下に物干し竿や簾等を吊り下げることが可能になり、軒下空間の有効活用に寄与し得ることとなる。
【発明を実施するための最良の形態】
【０００９】
以下、本発明の実施形態を図面に基づき説明する。ここで、図１は、本発明の一実施形態である軒樋吊具Ａの構成の概略を模式的に示す図である。図２は、本発明の一実施形態である軒樋吊具Ａの構成の要部である縦溝部７と垂下腕部１０との関係を示すもので、（ａ）は、正面図、（ｂ）は、（ａ）のＸ‐Ｘ‘線における断面図、（ｃ）は、（ａ）のＹ‐Ｙ‘線における断面図である。図３は、本発明の一実施形態である軒樋吊具Ａの使用状況を模式的に例示する図である。
【００１０】
すなわち、本実施形態の軒樋吊具Ａは、図１に示すように、前方に突出した後耳係止部１を有する固定部２と、この固定部２の上端部より前方に延設した軒樋支持腕部３と、この軒樋支持腕部３の先端に設けられた前耳係止部４と、軒樋支持腕部３の前記前耳係止部４より後方に設けられた後耳脱落防止部５とを備えた軒樋吊具である。
【００１１】
さらに、本実施形態の軒樋吊具Ａは、固定部２の背面に上端幅広部６を備え且つ下端が開放した縦溝部７を設ける一方、縦溝部７内を走行（スライド）可能であり、前記上端幅広部６と略同一幅の幅広頭部８を有し且つ下端に引っ掛け爪部９を具備し、前記縦溝部７と略同一幅で略Ｔ字形状の垂下腕部１０を有するものである。
【００１２】
その結果、垂下腕部１０下端の引っ掛け爪部９により、容易に軒下に物干し竿や簾等を吊り下げることが可能になり、軒下空間の有効活用に寄与し得るというものである。
【００１３】
すなわち、元来、軒先に固定された軒樋１３の底部１４の近傍、或いは、軒樋吊具直下の空間の有効活用については、上記したように、現状、部屋の中から直接、物の出し入れ等の操作をするには、やや位置が高すぎて不便である等の理由から今なお、充分に活用されているとは言い難い。
【００１４】
そこで、本実施形態の軒樋吊具Ａでは、固定部２の背面に、物を掛けやすいある程度の高さまでスライド調節できる垂下腕部１０を有する構成とした。
【００１５】
その結果、必要に応じて、垂下腕部１０を上下にスライドさせることができ、比較的高い位置でも簡単に物（吊り下げ対象物２１）が吊り下げられることとなった。
【００１６】
具体的には、物干し竿や簾に限らず、店舗では看板や電飾、一般住宅では季節の飾り付け（クリスマスシーズンの電飾等）や小さなプランターを吊るすことができることとなり、さらには、本実施形態の軒樋吊具Ａ（及び、その垂下腕部１０）は、軒下にあるので、部屋の中からでも洗濯物を干したり、取り入れたりすることができることとなる。
【００１７】
また、垂下腕部１０は、下端に引っ掛け爪部９を具備するため、軒先に電飾等を施す際、引っ掛け爪部９に嵌めたり、通したりするだけの簡単な作業で簡便に物が吊り下げられるという利点もある。
【００１８】
他方、本実施形態の軒樋吊具Ａは、図１、図２に示すように、垂下腕部１０の幅広頭部８が、縦溝部７の上端幅広部６の上側端縁１１に当接する際、前記引っ掛け爪部９の上端部１２が、軒樋１３の底部１４に当接する一方、前記上端幅広部６の両側面に、前記幅広頭部８の下端部１５に当接し、且つ前記幅広頭部８の下端部１５を保持し得る突起部１６を形成している。
【００１９】
すなわち、引っ掛け爪部９を有する垂下腕部１０を上方向にスライドさせる際、スライド上限の位置である縦溝部７の上端幅広部６の上側端縁１１に垂下腕部１０の幅広頭部８が当接するに至ったとき、幅広頭部８の下端部１５に、上端幅広部６の両側面に設けた突起部１６が当接し、且つ、幅広頭部８の下端部１５を保持し得る位置関係が構築されているので、垂下腕部１０を上方向にスライドさせ、スライド上限の位置まで到達すると、垂下腕部１０は、一旦、その位置で係止され、自由落下を防止する構造になっている。さらに、このとき、引っ掛け爪部９の上端部１２が、軒樋１３の底部１４に当接する構造となっている。したがって、引っ掛け爪部９の上端部１２の位置に着目すれば、スライド下限の位置〔Ｄ〕からスライド上限の位置〔Ｕ〕まで、縦溝部７の上端幅広部６中を垂下腕部１０の幅広頭部８が、走行（スライド）可能な距離に対応する距離だけ移動し得ることとなる。
【００２０】
その結果、垂下腕部１０を上方向にスライドさせ、スライド上限の位置まで到達させると、引っ掛け爪部９の上端部１２が、軒樋１３の底部１４に当接するため、これによって、強風等による軒樋１３のガタツキを効果的に防止し得ることとなる。さらには、これにより、万一、軒樋１３の後耳２０が後耳係止部１から外れた場合でも、軒樋１３の落下を防止し得ることとなる。
【００２１】
また、この場合、垂下腕部１０が、スライド上限の位置で係止され、垂下腕部１０が、殆ど固定部２の背面に形成した縦溝部７に収納されてしまうので、軒樋吊具に求められる良好な美観をも確保することができることとなり、ひいては、スッキリとした家全体の良好な外観の構築に寄与し得ることとなる。
【００２２】
一方、本実施形態の軒樋吊具Ａは、図１、図３に示すように、前記垂下腕部１０の側面より突出し、引っ掛け爪部９の上端部１２の裏側面１８に略到達するまで延設した弾性体片１９を有するものである。この結果、引っ掛け爪部９は、吊り下げ対象物２１を引っ掛ける際には引っ掛けやすく、また引っ掛けた後は外れにくい機能を有するものである。
【００２３】
すなわち、上方から引っ掛け爪部９に吊り下げ対象物２１を引掛けると弾性体片１９は下向きに折れ曲がり、吊り下げ対象物２１は、引っ掛け爪最深部２２へ導かれる。逆に、吊り下げ対象物２１を外そうとする際は、弾性体片１９が引っ掛け爪部９の上端部１２の裏側面１８に略到達しているため、吊り下げ対象物２１が外れ難いこととなる。
【００２４】
ここで、弾性体片１９を形成し得る素材としては、ゴム等のエラストマー類、或いは、高靭性樹脂類を使用したもの等が例示可能であるが、金属製バネの弾性力を利用したもの等も可能であり、その材質等には、特に制限はなく、上記課題解決に寄与し得る限りにおいて限定はない。
【００２５】
以上のように、本実施形態の軒樋吊具Ａでは、前方に突出した後耳係止部１を有する固定部２と、この固定部２の上端部より前方に延設した軒樋支持腕部３と、この軒樋支持腕部の先端に設けられた前耳係止部４と、軒樋支持腕部３の前記前耳係止部４より後方に設けられた後耳脱落防止部５とを備えた軒樋吊具において、固定部２の背面に上端幅広部６を備え且つ下端が開放した縦溝部７を設ける一方、この縦溝部７内を走行（スライド）可能であり、前記上端幅広部６と略同一幅の幅広頭部８を有し且つ下端に引っ掛け爪部９を具備し、前記縦溝部７と略同一幅で略Ｔ字形状の垂下腕部１０を有しているので、容易に軒下に物干し竿や簾等を吊り下げることが可能になり、軒下空間の有効活用に寄与し得ることとなる。
【００２６】
また、本実施形態の軒樋吊具Ａでは、垂下腕部１０の幅広頭部８が、縦溝部７の上端幅広部６の上側端縁１１に当接する際、前記引っ掛け爪部９の上端部１２が、軒樋１３の底部１４に当接する一方、前記上端幅広部６の両側面に、前記幅広頭部８の下端部１５に当接し、且つ前記幅広頭部８の下端部１５を保持し得る突起部１６を形成しているので、強風等による軒樋１３のガタツキを効果的に防止し得ることとなる。また、この場合、垂下腕部１０が、スライド上限の位置で係止され、垂下腕部１０が、殆ど固定部２の背面に形成した縦溝部７に収納されてしまうので、軒樋吊具に求められる良好な美観をも確保し得ることとなる。
【００２７】
なお、本発明の軒樋吊具は、上記の実施形態にのみ限定されるものではなく、本発明の要旨を逸脱しない範囲内において種々変更を加え得ることは勿論である。さらに、本発明の軒樋吊具は、例えば、ポリカーボネート樹脂等の樹脂材料で好適に形成できるが、適度な弾性と靭性を備え、且つ、充分な力学的強度を有し、耐候性、耐食性、耐久性等に優れた素材であればこれらのみに限定されず、１種類の素材のみから構成しても、２種類以上の素材を組み合わせて構成してもよく、上記課題解決に寄与する限りにおいて何ら制約のないことはいうまでもない。
【図面の簡単な説明】
【００２８】
【図１】本発明の一実施形態である軒樋吊具の構成の概略を模式的に示す図である。
【図２】本発明の一実施形態である軒樋吊具の構成の要部である縦溝部と垂下腕部との関係を示すもので、（ａ）は、正面図、（ｂ）は、（ａ）のＸ‐Ｘ‘線における断面図、（ｃ）は、（ａ）のＹ‐Ｙ‘線における断面図である。
【図３】本発明の一実施形態である軒樋吊具の使用状況を模式的に例示する図である。
【符号の説明】
【００２９】
１    後耳係止部
２    固定部
３    軒樋支持腕部
４    前耳係止部
５    後耳脱落防止部
６    上端幅広部（縦溝部７）
７    縦溝部（固定部２）
８    幅広頭部（垂下腕部１０）
９    引っ掛け爪部（垂下腕部１０）
１０    垂下腕部
１１    上側端縁（上端幅広部６）
１２    上端部（引っ掛け爪部９）
１３    軒樋
１４    底部（軒樋１３）
１５    下端部（幅広頭部８）
１６    突起部
１７    屋根面
１８    裏側面（上端部１２）
１９    弾性体片
２０    後耳（軒樋１３）
２１    吊り下げ対象物
２１ａ  ロープ
２１ｂ  物干し竿
２２    引っ掛け爪最深部（引っ掛け爪部９）
Ａ      軒樋吊具
【図１】
2006037428.tif 000003
【図２】
2006037428.tif 000004
【図３】
2006037428.tif 000005